(57)【要約】【課題】システム構築や工事の効率化を図る。【解決手段】入力端末装置４の内部にはフォトカプラ１１が設けられており、自動点滅器から出力された有電圧接点信号はフォトカプラ１１によって無電圧接点信号に変換される。これにより、自動点滅器２と入力端末装置４との間に補助リレーを設ける必要が無くなるので、システム構築や工事の効率化を図ることができる。【選択図】図２
2008021631.tif 000002
【特許請求の範囲】
【請求項１】
有電圧接点信号を出力する自動点滅器と、
前記自動点滅器から出力された有電圧接点信号に従って照明のオン／オフを制御するための制御信号を生成する入力端末装置と、
前記入力端末装置により生成された制御信号に従って照明のオン／オフを制御する照明制御部とを備え、
前記入力端末装置は、前記自動点滅器から入力される有電圧接点信号を無電圧接点信号を変換するためのフォトカプラを備えること
を特徴とする照明制御システム。
【請求項２】
請求項１に記載の照明制御システムであって、前記入力端末装置は、照明毎に割り当てられたアドレス情報を記憶し、前記制御信号と共にオン／オフを制御する照明のアドレス情報を前記照明制御部に出力することを特徴とする照明制御システム。
【請求項３】
請求項２に記載の照明制御システムであって、前記入力端末装置は、前記アドレス情報を設定するための設定スイッチを備えることを特徴とする照明制御システム。
【請求項４】
請求項１乃至請求項３のうち、いずれか１項に記載の照明制御システムであって、前記自動点滅器からの入力の有効／無効を時間帯毎に設定する装置を備えることを特徴とする照明制御システム。
【請求項５】
請求項１乃至請求項４のうち、いずれか１項に記載の照明制御システムであって、前記入力端末装置は、前記自動点滅器からの入力状態を表示する状態表示手段を備えることを特徴とする照明制御システム。
【請求項６】
請求項１乃至請求項５のうち、いずれか１項に記載の照明制御システムであって、前記入力端末装置は、当該入力端末装置による前記制御信号の生成を指示する動作確認用スイッチを備えることを特徴とする照明制御システム。
【請求項７】
請求項６に記載の照明制御システムであって、前記動作確認用スイッチがスライドスイッチ又はトグルスイッチであることを特徴とする照明制御システム。
【発明の詳細な説明】
【技術分野】
【０００１】
本発明は、外灯や看板灯等の照明のオン／オフを制御する照明制御システムに関する。
【背景技術】
【０００２】
従来より、自動点滅器からの出力信号に従って外灯や看板灯等の照明のオン／オフを制御する照明制御システムが知られている（特許文献１参照）。
【特許文献１】特開平１１−６８９８４号公報
【発明の開示】
【発明が解決しようとする課題】
【０００３】
従来の照明制御システムでは、自動点滅器の出力信号が有電圧接点信号であるために、有電圧接点信号を無電圧接点信号に変更するための補助リレーを設置する必要性があった。このため、従来の照明制御システムによれば、照明制御システムを設置する際の配線や設定が複雑になり、システム構築や工事の効率化を図ることが困難であった。
【０００４】
本発明は、上記課題を解決するためになされたものであり、その目的は、システム構築や工事の効率化を図ることが可能な照明制御システムを提供することにある。
【課題を解決するための手段】
【０００５】
本発明に係る照明制御システムは、有電圧接点信号を出力する自動点滅器と、自動点滅器から出力された有電圧接点信号に従って照明のオン／オフを制御するための制御信号を生成する入力端末装置と、入力端末装置により生成された制御信号に従って照明のオン／オフを制御する照明制御部とを備え、入力端末装置は、自動点滅器から入力される有電圧接点信号を無電圧接点信号を変換するためのフォトカプラを備える。
【０００６】
また、本発明に係る照明制御システムは、入力端末装置が、照明毎に割り当てられたアドレス情報を記憶し、制御信号と共にオン／オフを制御する照明のアドレス情報を照明制御部に出力する。
【０００７】
また、本発明に係る照明制御システムは、入力端末装置が、アドレス情報を設定するための設定スイッチを備える。
【０００８】
また、本発明に係る照明制御システムは、自動点滅器からの入力の有効／無効を時間帯毎に設定する装置を備える。
【０００９】
また、本発明に係る照明制御システムは、入力端末装置が、自動点滅器からの入力状態を表示する状態表示手段を備える。
【００１０】
また、本発明に係る照明制御システムは、入力端末装置が、当該入力端末装置による制御信号の生成を指示する動作確認用スイッチを備える。
【００１１】
また、本発明に係る照明制御システムは、動作確認用スイッチがスライドスイッチ又はトグルスイッチである。
【発明の効果】
【００１２】
本発明に係る照明制御システムによれば、自動点滅器から出力された有電圧接点信号は入力端末装置内部のフォトカプラによって無電圧接点信号に変換されるので、補助リレーを設ける必要が無くなり、システム構築や工事の効率化を図ることができる。
【００１３】
また、本発明に係る照明制御システムよれば、自動点滅器の接点状態に合わせて、自動点滅器が明状態から暗状態になった時と暗状態から明状態になった時とで異なるアドレス情報を設定することにより複数の負荷を容易に制御することができるので、配線設定を容易にすることができる。
【００１４】
また、本発明に係る照明制御システムよれば、専用のアドレス設定器を設ける必要が無くなると共に、アドレス設定を容易に確認することができる。
【００１５】
また、本発明に係る照明制御システムよれば、新たにリレーを設ける必要がなくなるので、配線設定等の作業を省力化することができる。
【００１６】
また、本発明に係る照明制御システムよれば、状態表示手段により自動点滅器の入力状態を容易に確認することができる。
【００１７】
また、本発明に係る照明制御システムよれば、入力端末装置に動作確認用スイッチを備えることで、容易にシステムの動作確認を実行できるため作業の効率化を図ることができる。
【００１８】
また、本発明に係る照明制御システムよれば、動作確認用スイッチをスライドスイッチ又はトグルスイッチとすることで、コスト低減、実装面積削減による入力端末装置の小型化を図ることができる。
【発明を実施するための最良の形態】
【００１９】
〔照明制御システムの構成〕
本発明の実施形態となる照明制御システムは、図１に示すように、分電盤１に設けられ、自動点滅器２からの有電圧接点信号に従って外灯や看板灯等の負荷３のオン／オフを制御する制御信号を生成する入力端末装置４と、入力端末装置４により生成された制御信号に従って負荷３のオン／オフを制御する照明制御部５とを主な構成要素として備える。
【００２０】
入力端末装置４は、図２に示すように、自動点滅器２から出力された有電圧接点信号を無電圧接点信号に変換するフォトカプラ１１と、フォトカプラ１１から出力された無電圧接点信号とアドレス設定部１５において設定される負荷３のアドレス情報（識別情報）に従って負荷３のオン／オフを制御する制御信号を生成するマイクロコンピュータ１２と、入力端末装置４が動作するために必要な電力を供給する電源回路１３と、マイクロコンピュータ１２が生成した制御信号を照明制御部５に送信すると共に、後述する手動スイッチ２１やタイマ装置３１等の外部装置から送信された信号を受信する信号送受信部１４とを備える。
【００２１】
入力端末装置４は、図２に示すように、光通信によって送信されたアドレス信号若しくは図３に示すようなディップスイッチによって設定された負荷３のアドレス情報をマイクロコンピュータ１２に出力するアドレス設定部１５とを備える。アドレス設定部１５をディップスイッチにより形成した場合、専用のアドレス設定器を設ける必要が無くなると共に、分電盤１を開くことによりアドレス設定を容易に確認することができる。
【００２２】
このように、本発明の実施形態となる照明制御システムでは、入力端末装置４の内部にフォトカプラ１１が設けられており、自動点滅器２から出力された有電圧接点信号はこのフォトカプラ１１によって無電圧接点信号に変換される。このような構成によれば、自動点滅器２と入力端末装置４との間に補助リレーを設ける必要が無くなるので、システム構築や工事の効率化を図ることができる。
【００２３】
本発明の実施形態となる照明制御システムでは、入力端末装置４から照明制御部５に出力される制御信号の中には、アドレス設定部１５において設定された負荷３のアドレス情報が含まれる。補助リレーを備える従来の照明制御システムでは、複数の負荷３を制御する場合、明状態から暗状態になった時に閉状態になる補助リレーと暗状態から明状態になった時に開状態になる補助リレーとを別々の入力端末装置に接続する必要があるために、配線設定が困難であった。これに対して、上記のようなシステム構成によれば、自動点滅器２の接点状態に合わせて、自動点滅器２が明状態から暗状態になった時と暗状態から明状態になった時とで異なるアドレス情報を設定することにより複数の負荷３を容易に制御することができるので、配線設定を容易にすることができる。
【００２４】
具体的には、図４に示すように照明制御システムに２つの負荷Ａ，Ｂが接続されていると共に入力端末装置４に手動スイッチ２１が接続されている場合、図５，６に示すように、日没によって暗くなった時（自動点滅器２が明状態から暗状態になった時）に負荷Ａ，Ｂをオン状態に切り換え（Ｐ１制御）、日の出により明るくなった時（自動点滅器２が暗状態から明状態になった時）に負荷Ｂをオフ状態に切り換え（Ｐ２制御）、その後手動スイッチ２１がオン状態になった時に負荷Ａをオフ状態に切り換える制御（Ｐ３制御）を容易に行うことができる。
【００２５】
上記照明制御システムの応用例として、分電盤１に上記手動スイッチ２１又はタイマ装置３１（図７参照）を設置し、手動スイッチ２１のオン／オフ又はタイマ装置３１内に設定されたプログラムに従って自動点滅器２からの入力の有効／無効を時間帯毎に設定してもよい。具体的には、タイマ装置３１内に図８に示すようなプログラムを設定することにより、土曜日は自動点滅器２からの入力があっても負荷Ａは点灯させず（プログラムＡ）、月曜日の８時以後は自動点滅器２からの入力を有効とする（プログラムＢ）等のように設定する。補助リレーを備える従来の照明制御システムでは、上記制御を行う場合、補助リレーの他に新たなリレーを設けなければならず、配線設定が面倒であった。しかしながら、上記のようなシステム構成によれば、新たにリレーを設ける必要がなくなるので、配線設定等の作業を省力化することができる。
【００２６】
（状態表示部１６について）
また、入力端末装置４は、図９に示すようにマイクロコンピュータ１２によって制御される状態表示部１６を備えている。状態表示部１６は、例えば、ＬＥＤ（Light Emitting Diode）といった発光素子からなる。
【００２７】
状態表示部１６は、明状態から暗状態又は暗状態から明状態となった周囲環境の明るさの変化に基づき自動点滅器２から入力される有電圧接点信号をフォトカプラ１１で変換した無電圧接点信号に応じたマイクロコンピュータ１２の制御により点灯制御がなされることで自動点滅器２の入力状態を表示する。マイクロコンピュータ１２は、明状態から暗状態、暗状態から明状態と変化したことに応じて、状態表示部１６をそれぞれ異なる発光色で発光するように制御する。
【００２８】
また、状態表示部１６は、マイクロコンピュータ１２の制御により点灯、消灯制御がなされることで、上述したようにタイマ装置３１に時間帯毎に設定される自動点滅器２からの入力の有効／無効状態を表示することもできる。マイクロコンピュータ１２は、自動点滅器２からの入力が有効である時間帯には、状態表示部１６を点灯させ、自動点滅器２からの入力が無効である時間帯には、状態表示部１６を消灯させるよう制御する。
【００２９】
さらに、状態表示部１６は、マイクロコンピュータ１２の制御により点滅制御がなされることで、上述したようにアドレス設定部１５にアドレス設定した際の設定完了状態を表示することもできる。マイクロコンピュータ１２は、アドレス設定の完了に応じて、状態表示部１６を点滅するように制御する。
【００３０】
例えば、状態表示部１６を赤色と緑色の２色を発光可能なように構成されたＬＥＤとした場合、マイクロコンピュータ１２は、明状態から暗状態となった場合に自動点滅器２から入力される有電圧接点信号をフォトカプラ１１で変換した無電圧接点信号に応じて、状態表示部１６を赤色に点灯させる。逆に、マイクロコンピュータ１２は、暗状態から明状態となった場合には、状態表示部を緑色に点灯させる。このとき、タイマ装置３１により自動点滅器２からの入力の有効／無効を時間帯毎に設定されている場合には、自動点滅器２からの入力が有効となる時間帯であることも点灯制御の条件となる。
【００３１】
また、状態表示部１６を上述したような赤色と緑色の２色を発光可能なＬＥＤとした場合、マイクロコンピュータ１２は、アドレス設定部１５へのアドレス設定の完了に応じて、状態表示部１６を赤色に数回（５回程度）点滅させる。
【００３２】
マイクロコンピュータ１２による状態表示部１６の制御は、アドレス設定完了時の制御、自動点滅器２の入力無効時の制御、自動点滅器２の入力状態の制御という順にプライオリティが低くなっている。つまり、マイクロコンピュータ１２は、自動点滅器２の入力が無効な時間帯であってもアドレス設定が完了した場合には状態表示部１６を点滅させ、自動点滅器２からの入力があったとしても自動点滅器２の入力が無効な時間帯であれば状態表示部１６を消灯させる。
【００３３】
従来の照明制御システムでは、自動点滅器２の入力状態を確認する場合、入力端末装置４の入力端子の電圧をテスタなどで測定しなければならず、非常に煩わしい作業を要求されていた。しかしながら、上述したように、入力端末装置４に状態表示部１６を備えることで、自動点滅器２の入力状態（暗状態又は明状態）を分電盤１を開くことで容易に確認することができる。さらに、状態表示部１６により、自動点滅器２からの入力の有効／無効状態、アドレス設定の完了を容易に確認することができる。
【００３４】
（動作確認用スイッチ１７について）
さらに、入力端末装置４は、図１０に示すように当該入力端末装置４による制御信号の生成をマイクロコンピュータ１２に指示する動作確認用スイッチ１７を備えている。動作確認用スイッチ１７は、例えば、押しボタン式のスイッチである。
【００３５】
上述したようにマイクロコンピュータ１２は、フォトカプラ１１から出力された無電圧接点信号とアドレス設定部１５において設定される負荷３のアドレス情報（識別情報）に従って、負荷３のオン／オフを制御する制御信号を生成する。
【００３６】
動作確認用スイッチ１７は、このように無電圧接点信号によることなく、ユーザによる操作に応じてマイクロコンピュータ１２に、アドレス設定部１５において設定される負荷３のアドレス情報（識別情報）に従った制御信号を生成するよう指示する。これに応じて、マイクロコンピュータ１２は、制御信号を生成して負荷３のオン／オフを制御することで、自動点滅器２からの出力を必要とすることなく照明制御システムの動作確認を行うことができる。
【００３７】
動作確認用スイッチ１７は、自動点滅器２からの出力から制御信号を生成する場合と同様に、明状態での制御信号を生成するように指示をする明動作確認用スイッチと、暗状態での制御信号を生成するように指示をする暗動作確認用スイッチという２つの押しボタン式スイッチによって構成される。
【００３８】
従来の照明制御システムでは、当該照明制御システムの動作確認を、自動点滅器２周辺の照度を暗くしたり明るくしたりするといった非常に煩わしい操作をすることで行っていた。また、入力端末装置４が無電圧接点入力タイプであれば、入力端末装置４の入力端子を電線などで短絡することにより簡易的に動作確認を実行できるが、上記照明制御システムのように自動点滅器２を直接接続可能な有電圧接点入力タイプの場合には、安全面から入力端末装置４の入力端子を短絡させることができない。しかしながら、入力端末装置４に動作確認用スイッチ１７を備えることで、容易にシステムの動作確認を実行できるため作業の効率化を図ることができる。
【００３９】
また、動作確認用スイッチ１７を明動作確認用スイッチ、暗動作確認用スイッチという２つの押しボタン式スイッチによって構成するのに替えて、図１１（ａ）、（ｂ）に示すようなスライドスイッチ１７Ｓ、又はトグルスイッチ１７Ｔを用いるようにしてもよい。スライドスイッチ１７Ｓ、トグルスイッチ１７Ｔは、図１１（ｃ）に示すように、動作確認モードである明状態での制御信号を生成する明動作モードと、暗状態での制御信号を生成する暗動作モードと、通常動作モードである自動モードとをそれぞれ切り替え可能なようになっている。
【００４０】
このように、動作確認用スイッチ１７をスライドスイッチ１７Ｓ、又はトグルスイッチ１７Ｔとすることで、コスト低減、実装面積削減による入力端末装置４の小型化を図ることができる。
【００４１】
以上、本発明者らによってなされた発明を適用した実施の形態について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることは勿論であることを付け加えておく。
【図面の簡単な説明】
【００４２】
【図１】本発明の実施形態となる照明制御システムの構成を示すブロック図である。
【図２】図１に示す入力端末装置の内部構成を示すブロック図である。
【図３】図２に示すアドレス設定部の一実施形態となるディップスイッチを示す模式図である。
【図４】図１に示す照明制御システムの応用例の構成を示すブロック図である。
【図５】図４に示す照明制御システムの動作例を説明するための図である。
【図６】図４に示す照明制御システムの動作例を説明するためのタイミングチャート図である。
【図７】図１に示す照明制御システムの応用例の構成を示すブロック図である。
【図８】図７に示す照明制御システムの動作例を説明するための図である。
【図９】図１に示す入力端末装置の別な内部構成を示すブロック図である。
【図１０】図１に示す入力端末装置の別な内部構成を示すブロック図である。
【図１１】動作確認用スイッチとして用いるスライドスイッチ、トグルスイッチについて説明するための図である。
【符号の説明】
【００４３】
１：分電盤
２：自動点滅器
３：負荷
４：入力端末装置
５：照明制御部
【図１】
2008021631.tif 000003
【図２】
2008021631.tif 000004
【図３】
2008021631.tif 000005
【図４】
2008021631.tif 000006
【図５】
2008021631.tif 000007
【図６】
2008021631.tif 000008
【図７】
2008021631.tif 000009
【図８】
2008021631.tif 000010
【図９】
2008021631.tif 000011
【図１０】
2008021631.tif 000012
【図１１】
2008021631.tif 000013